(57)【要約】  【課題】現在の保冷庫おいて、貯蔵庫改造することなく、貯蔵庫扉の半開き状態を検知し、ユーザーに異常を告知できる保冷庫を提供する。  【解決手段】貯蔵庫１０１と、貯蔵庫１０１を冷却する冷却ユニット１０４と、からなり、貯蔵庫１０１は、貯蔵庫扉１０３を備え、冷却ユニット１０４は、貯蔵庫１０１の温度検出する庫内温度センサ１２と、貯蔵庫１０１が設置されている温度を検出する外気温センサ１０５と、貯蔵庫１０１内の温度を制御する制御装置１１０と、異常状態を告知する表示器１０２と、を備え、外気温センサ１０５と庫内温度センサ１２の信号から制御装置１１０で検出を行い、表示器１０２によって、貯蔵庫扉１０３の半開き状態を告知する。【選択図】図１
2007017015.tif 000002
【特許請求の範囲】
【請求項１】
貯蔵庫と、前記貯蔵庫を冷却する冷却ユニットと、異常状態を告知する異常連絡手段と、からなり、前記貯蔵庫は、貯蔵庫扉を備え、前記冷却ユニットは、前記貯蔵庫の温度を検出する庫内温度センサと、前記貯蔵庫が設置されている温度を検出する外気温センサと、前記貯蔵庫内の温度を制御する制御装置と、を備えた保冷庫。
【請求項２】
前記外気温センサが、冷却ユニットの外装に設けたことを特徴とする請求項１に記載の保冷庫。
【請求項３】
前記外気温センサを制御装置内に設けたことを特徴とする請求項１に記載の保冷庫。
【請求項４】
前記庫内温度センサは、赤外線式温度センサとしたことを特徴とする請求項１に記載の保冷庫。
【請求項５】
前記異常連絡手段は、音によって告知することを特徴とする請求項１から４のいずれか一項に記載の保冷庫。
【請求項６】
前記異常連絡手段は、目視によって告知することを特徴とする請求項１から４のいずれか一項に記載の保冷庫。
【発明の詳細な説明】
【技術分野】
【０００１】
本発明は、米穀類などを収納、貯蔵するのに用いる保冷庫に関するものである。
【背景技術】
【０００２】
従来、この種の米穀類などを収納、貯蔵するのに用いる保冷庫は、貯蔵庫の上に冷却ユニットを設置しているものが知られている。貯蔵庫の庫内温度制御は、冷却ユニットに配備した冷媒回路と制御装置で行っている。また、貯蔵庫扉は、マグネットパッキンが取付けられ、冷却ユニットからの冷気が洩れない構造を採用している（例えば、特許文献１参照）。
【０００３】
図４は、従来の冷却ユニットを搭載している保冷庫の斜視図である。図５は、従来の保冷庫に搭載されている冷却ユニットの構成図である。図６は、従来の貯蔵庫扉が閉まっているときの庫内温度の挙動と圧縮機の制御動作図である。図７は、従来の外気温が圧縮機動作温度より高い温度の時の貯蔵庫扉が半開き時の庫内温度の挙動と圧縮機の制御動作図である。図８は、従来の外気温が圧縮機動作温度近傍の時の貯蔵庫扉が半開き時の庫内温度の挙動と圧縮機の制御動作図である。
【０００４】
図４、図５に示すように、保冷庫１は、貯蔵庫２と、冷却ユニット３とから構成されている。貯蔵庫２には貯蔵庫扉４が設けられ、貯蔵庫扉４には、冷気漏れを防止するマグネットパッキン５（図示せず）が装着されている。
【０００５】
冷却ユニット３は、圧縮機６と、凝縮器７と、凝縮器用ファンモータ８と、キャピラリチューブ９と、蒸発器１０と、蒸発器用ファンモータ１１と、庫内温度センサ１２と、制御装置１３と、から構成されている。
【０００６】
以上のように構成された従来の保冷庫に搭載している冷却ユニットの動作を説明する。
【０００７】
まず、貯蔵庫２内の庫内温度を庫内温度センサ１２で検知し、冷却ユニット３内に装備されている制御装置１３から、圧縮機６、凝縮器用ファンモータ８、蒸発器用ファンモータ１１に電気信号を送って、各庫内の設定温度になるように制御する方法が採用されている。
【特許文献１】特開２００２−２７７１３９号公報
【発明の開示】
【発明が解決しようとする課題】
【０００８】
しかしながら、上記従来の構成では、外気温が圧縮機動作温度よりかなり高い温度の時、庫内温度センサで貯蔵庫扉が閉まっている時（図６）と、半開き時（図７）とで、運転パターンが大きく異なるため、その温度差から貯蔵庫扉の半開き状態を検出できるが、外気温が圧縮機動作温度近傍の温度時、庫内温度センサで貯蔵庫扉が閉まっている時（図６）と、半開き時（図８）との運転パターンは、圧縮機の動作時間が近似しているので、貯蔵庫扉の半開きの状態を検出できない、という課題を有していた。
【０００９】
本発明は、上記従来の課題を解決するもので、外気温が圧縮機動作温度近傍の温度時においても、貯蔵庫扉の半開き状態を検知し、異常連絡手段によって、ユーザーに告知する保冷庫を提供することを目的とする。
【課題を解決するための手段】
【００１０】
上記従来の課題を解決するために、貯蔵庫と、前記貯蔵庫を冷却する冷却ユニットと、異常状態を告知する異常連絡手段と、からなり、前記貯蔵庫は、貯蔵庫扉を備え、前記冷却ユニットは、前記貯蔵庫の温度を検出する庫内温度センサと、前記貯蔵庫が設置されている温度を検出する外気温センサと、前記貯蔵庫内の温度を制御する制御装置と、を備えたものである。
【００１１】
これによって、貯蔵庫が設置されている温度と貯蔵庫庫内の温度を把握して、貯蔵庫扉の半開き状態であるかどうかを制御装置で検出し、異常連絡手段によってユーザーに告知することができる。
【発明の効果】
【００１２】
本発明の保冷庫は、現状の保冷庫等の貯蔵庫などに容易に設置施工ができ、貯蔵庫を改造することなく貯蔵庫扉の半開き状態を検出し、異常連絡手段によって容易にユーザーに告知することができる。
【発明を実施するための最良の形態】
【００１３】
請求項１に記載の発明は、貯蔵庫と、前記貯蔵庫を冷却する冷却ユニットと、異常状態を告知する異常連絡手段と、からなり、前記貯蔵庫は、貯蔵庫扉を備え、前記冷却ユニットは、前記貯蔵庫の温度を検出する庫内温度センサと、前記貯蔵庫が設置されている温度を検出する外気温センサと、前記貯蔵庫内の温度を制御する制御装置と、を備えたことにより、外気温温度と庫内温度との相関関係により、外気温が圧縮機動作温度近傍の温度時においても、半開き状態を検出でき、異常連絡手段によって、貯蔵庫扉の半開き状態を告知でき、かつ、現状の保冷庫等の貯蔵庫などに容易に設置施工ができ、貯蔵庫を改造することなく貯蔵庫扉の半開き状態を検出し、異常連絡手段によって容易にユーザーに告知することができる。
【００１４】
請求項２に記載の発明は、請求項１に記載の発明において、前記外気温センサが、冷却ユニットの外装に設けたことにより、冷却ユニット内部の熱の影響を防止でき、精度良く外気温を検出できる。
【００１５】
請求項３に記載の発明は、請求項１に記載の発明において、前記外気温センサを制御装置内に設けたことにより、冷却ユニットを容易に設置ができ安価な保冷庫となる。
【００１６】
請求項４に記載の発明は、請求項１に記載の発明において、前記庫内温度センサは、赤外線式温度センサとしたことにより、広範囲な温度分布を検出できることから、貯蔵庫全体の温度を把握でき、精度良く庫内温度を検出できる。
【００１７】
請求項５に記載の発明は、請求項１から４のいずれか一項に記載の発明において、前記異常連絡手段は、音によって告知することにより、確実にユーザーに知らせることができる。
【００１８】
請求項６に記載の発明は、請求項１から４のいずれか一項に記載の発明において、前記異常連絡手段は、目視によって告知することにより、確実にユーザーに知らせることができる。
【００１９】
以下に、本発明の実施の形態について、図面を参照しながら説明するが、従来例または先に説明した実施の形態と同一構成については、同一符号を付して、その詳細な説明は省略する。なお、この実施形態によってこの発明が限定されるものではない。
【００２０】
（実施の形態１）
図１は、本発明の実施の形態１における保冷庫の斜視図である。図２は、同実施の形態における冷却ユニットの構成図である。図３は、同実施の形態における保冷庫の外気温とシステムの運転率の関係を表す特性図である。
【００２１】
図１において、保冷庫１は、貯蔵庫１０１と、貯蔵庫の前面に位置する貯蔵庫扉１０３と、貯蔵庫１０１の上面に配置された冷却ユニット１０４と、からなり、貯蔵庫扉１０３に設けられた庫内温度表示を行う表示器１０２は、貯蔵庫扉１０３の半開き状態を検出し、異常連絡手段として兼用して使用したものであり、冷却ユニット１０４は、保冷庫１が設置されている外気温度を検出する外気温センサ１０５を有している。
【００２２】
図２において、冷却ユニット１０４は、庫内温度センサ１２と、冷却ユニットの外装に設置した外気温センサ１０５と、庫内温度センサ１２を介して、冷却システムの運転挙動を監視して制御する制御装置１１０と、を備えている。
【００２３】
図３においては、横軸に外気温を、縦軸にシステムの運転率を表している。
【００２４】
図３において、実線は、貯蔵庫扉１０３が閉じられている時の外気温とシステムの運転率を、破線は、貯蔵庫扉１０３の半開き時の外気温とシステムの運転率、一点鎖線は、貯蔵庫扉１０３の半開きかどうか判別するための閾値を表わしている。
【００２５】
図３の貯蔵庫扉が閉じられている時と、半開き時の外気温とシステムの運転率の関係から、外気温が圧縮機動作温度近傍の温度時においても、冷却システムの運転挙動を関して制御する制御装置１１０内に各温度における貯蔵庫扉が閉じられている時と、半開き時の区別をするために、閾値を設けて貯蔵庫扉の半開き状態を区別する。
【００２６】
冷却システムの運転挙動を関して制御する制御装置１１０で貯蔵庫扉１０３の半開き状態と認識した場合、制御装置１１０から貯蔵庫扉１０３に庫内温度表示を行う表示器１０２を異常連絡手段として、温度表示器を点滅表示することによって、ユーザーに告知することができる。
【００２７】
その際、冷却システムは、一旦冷却システムを停止し、一定時間後、次に貯蔵庫１０１内にできた結露を乾燥させるために、一定時間冷却システムの運転を再開する。
【００２８】
この動作を貯蔵庫１０１内の結露発生を抑制するために、繰返して行うことによって、貯蔵庫１０１内に収納している農作物の品質劣化を抑制できる。
【００２９】
また、外気温センサ１０５が、冷却ユニット１０４の外装に設けたことにより、冷却ユニット内部の熱の影響を防止でき、精度良く外気温を検出できる。
【００３０】
また、外気温センサ１０５を制御装置１１０内に設置した場合も、冷却ユニットを容易に設置ができ安価な保冷庫となる。
【００３１】
また、貯蔵庫１０１の庫内温度を検出する赤外線式温度センサを貯蔵庫１０１内に設けることによって、広範囲な温度分布を検出できることから、貯蔵庫全体の温度を把握でき、精度良く庫内温度を検出できる。
【００３２】
また、異常連絡意手段として、ブザー音などによって、ユーザーに確実に告知することができる。
【産業上の利用可能性】
【００３３】
以上のように、本発明にかかる保冷庫は、ショーケース、業務用冷蔵庫等の用途にも適用できる。
【図面の簡単な説明】
【００３４】
【図１】本発明の実施の形態１における保冷庫の斜視図
【図２】同実施の形態における冷却ユニットの構成図
【図３】同実施の形態における保冷庫の外気温とシステムの運転率の関係を表す特性図
【図４】従来の冷却ユニットを搭載している保冷庫の斜視図
【図５】従来の保冷庫に搭載されている冷却ユニットの構成図
【図６】従来の貯蔵庫扉が閉まっているときの庫内温度の挙動と圧縮機の制御動作図
【図７】従来の外気温が圧縮機動作温度より高い温度の時の貯蔵庫扉が半開き時の庫内温度の挙動と圧縮機の制御動作図
【図８】従来の外気温が圧縮機動作温度近傍の時の貯蔵庫扉が半開き時の庫内温度の挙動と圧縮機の制御動作図
【符号の説明】
【００３５】
１    保冷庫
１２  庫内温度センサ
１０１  貯蔵庫
１０２  表示器（異常連絡手段）
１０３  貯蔵庫扉
１０４  冷却ユニット
１０５  外気温センサ
１１０  制御装置
【図１】
2007017015.tif 000003
【図２】
2007017015.tif 000004
【図３】
2007017015.tif 000005
【図４】
2007017015.tif 000006
【図５】
2007017015.tif 000007
【図６】
2007017015.tif 000008
【図７】
2007017015.tif 000009
【図８】
2007017015.tif 000010